(57)【要約】【課題】分散染料を含有し、異物の発生が抑制され、保存安定性及び吐出安定性が良好で、かつ、低粘度であるインク組成物を提供すること。【解決手段】分散染料と、芳香族スルホン酸のホルマリン縮合物と、分子量４０以上４００以下のアルカリ金属化合物と、水と、を含むインク組成物。【選択図】なし【特許請求の範囲】
【請求項１】
分散染料と、
芳香族スルホン酸のホルマリン縮合物と、
分子量４０以上４００以下のアルカリ金属化合物と、
水と、
を含むインク組成物。
【請求項２】
請求項１において、
前記インク組成物１００ｇ中におけるアルカリ金属イオンの濃度が０．００５ｍｏｌ以上０．０５ｍｏｌ以下である、インク組成物。
【請求項３】
請求項１又は請求項２において、
前記アルカリ金属化合物は、有機酸塩である、インク組成物。
【請求項４】
請求項１乃至請求項３のいずれか一項において、
前記アルカリ金属化合物は、ナトリウム塩である、インク組成物。
【請求項５】
請求項３又は請求項４において、
前記有機酸塩は、メタンスルホン酸ナトリウム、酢酸ナトリウム及び硫酸ナトリウムから選択される少なくとも一種である、インク組成物。
【請求項６】
請求項１乃至請求項５のいずれか一項において、
前記分散染料は、Ｃ．Ｉ．ディスパースレッド６０及びＣ．Ｉ．ディスパースオレンジ２５の少なくとも一種である、インク組成物。
【請求項７】
請求項１乃至請求項６のいずれか一項において、
前記インク組成物における前記分散染料の含有量は、４質量％以下である、インク組成物。
【発明の詳細な説明】
【技術分野】
【０００１】
本発明は、インク組成物に関する。
【背景技術】
【０００２】
インクジェット記録方法は、微細なノズルからインクの小滴を吐出して、記録媒体に付着させて記録を行う方法である。この方法は、比較的安価な装置で高解像度かつ高品位な画像を、高速で記録できるという特徴を有する。インクジェット記録方法においては、用いるインクの性質、記録における安定性、得られる画像の品質をはじめとして、非常に多くの検討要素があり、インクジェット記録装置のみならず、用いるインク組成物に対する研究も盛んである。例えば、色材として分散染料を用いるインク組成物について、以下のような検討がある。
【０００３】
特許文献１には、分散剤によって分散される分散染料、水溶性有機溶剤、界面活性剤及び水を含んでなるインク組成物において、特定の分散剤を用いることで、高鮮鋭なプリント画像を得ること、長時間の印字でも不吐出を起こさないようにすること、保存安定性を高め、小さな泡が消失するまでの時間を短くすることが試みられている。
【０００４】
また、特許文献２には、分散染料、分散剤、及び水性液媒体を含有するインクジェット捺染用インクが開示され、アニオン基を有し、対イオンがアルカリ金属イオン及び有機アンモニウムイオンである分散剤を含有するものが提案されている。特許文献２には、係るインクジェット捺染用インクが、高温時、及び、長期における分散安定性が良好であり、高濃度で鮮明かつ均染性に優れた捺染物を形成でき、目詰まり・異物の沈着・ヒーター破壊等がなく優れた吐出特性を有し、かつ長期にわたって安定した分散性及び吐出特性を有する等の記載がある。
【先行技術文献】
【特許文献】
【０００５】
【特許文献１】特開２００３−１２８９６２号公報
【特許文献２】特開平０８−３２５４７２号公報
【発明の概要】
【発明が解決しようとする課題】
【０００６】
上記特許文献１、２に記載されたインクでは、イオン性の分散剤やイオン性の界面活性剤を用いて、分散染料の分散性を向上させることを試みている。しかし、このような分散剤は、分散染料の分散性を高める作用のほか、分散染料を溶解させる作用も有している。すなわち、分散剤の配合量が少ない場合には分散性が不十分となり、配合量が多い場合には、分散染料を溶解してしまう。そのため、分散染料の分散性を高めるために添加量を多くすると、かえって異物が発生してしまう場合がある。
【０００７】
インク組成物は多くの成分を含む複雑な系であるので、異物の発生するメカニズムの詳細は、現時点では必ずしもよく分かっていないが、発明者の検討によれば、特に分散剤の配合量が多い場合には、分散染料を溶解させやすく、インクを保存する場合などに、溶解した分散染料が再結晶化して針状結晶等の異物を生じさせ易いことが一因であると推定される。
【０００８】
また、上記特許文献に記載された分散剤は、分子量が大きいため、分散染料の分散性の向上のために、単純に添加量を多くする場合には、少なくともインクの粘度の上昇を抑え
ることについても併せて配慮する必要がある。そのため、分散剤を選定し添加量を調節することにおいてさえ、複雑な系であるが故に多くの検討を要する。
【０００９】
本発明の幾つかの態様に係る目的の一つは、分散染料を含有し、異物の発生が抑制され、保存安定性及び吐出安定性が良好で、かつ、低粘度であるインク組成物を提供することにある。
【課題を解決するための手段】
【００１０】
本発明は上述の課題の少なくとも一部を解決するためになされたものであり、以下の態様又は適用例として実現することができる。
【００１１】
本発明に係るインク組成物の一態様は、
分散染料と、
芳香族スルホン酸のホルマリン縮合物と、
分子量４０以上４００以下のアルカリ金属化合物と、水と、を含む。
【００１２】
このようなインク組成物は、分散染料を含有するにもかかわらず、異物の発生が抑制され、保存安定性及び吐出安定性が良好で、かつ、低粘度である。すなわち芳香族スルホン酸のホルマリン縮合物により、分散染料の分散性を確保するとともに分散染料の溶解を高めすぎないことで異物の発生を抑えることができる。また、アルカリ金属化合物によってアルカリ金属イオンの濃度を高めることで、分散染料の凝集を十分に低減することができる。さらに、アルカリ金属化合物の分子量が、４０以上４００以下であるため、インク組成物の粘度を上昇させすぎることがなく、例えば、インクジェット記録に好適に用いることができる。
【００１３】
本発明に係るインク組成物において、
前記インク組成物１００ｇ中におけるアルカリ金属イオンの濃度が０．００５ｍｏｌ以上０．０５ｍｏｌ以下であってもよい。
【００１４】
このようなインク組成物によれば、分散染料の分散とインク組成物の粘度とをより良好にすることができる。
【００１５】
本発明に係るインク組成物において、
前記アルカリ金属化合物は、スルホン酸塩又はカルボン酸塩であってもよい。
【００１６】
このようなインク組成物によれば、アルカリ金属イオンをより効率的に発生させることができる。
【００１７】
本発明に係るインク組成物において、
前記アルカリ金属化合物は、ナトリウム塩であってもよい。
【００１８】
このようなインク組成物によれば、ナトリウムイオン（アルカリ金属イオン）をより効率的に発生させることができる。
【００１９】
本発明に係るインク組成物において、
前記有機酸塩は、メタンスルホン酸ナトリウム、酢酸ナトリウム、硫酸ナトリウム及びベンゼンスルホン酸ナトリウムから選択される少なくとも一種であってもよい。
【００２０】
このようなインク組成物によれば、分散染料の分散とインク組成物の粘度とをさらに良好にすることができる。
【００２１】
本発明に係るインク組成物において、
前記分散染料は、Ｃ．Ｉ．ディスパースレッド６０及びＣ．Ｉ．ディスパースオレンジ２５の少なくとも一種であってもよい。
【００２２】
このようなインク組成物では、異物の発生しやすいＣ．Ｉ．ディスパースレッド６０及びディスパースオレンジ２５を用いているが、異物の発生が抑制され、保存安定性及び吐出安定性が良好で、かつ、低粘度であるという効果が顕著である。
【００２３】
本発明に係るインク組成物において、
前記インク組成物における前記分散染料の含有量は、４質量％以下であってもよい。
【００２４】
このようなインク組成物では、分散染料の濃度が低く（淡色）これにより、相対的に分散剤の量が高まることで、異物が発生しやすいにもかかわらず、異物の発生が抑制され、保存安定性及び吐出安定性が良好で、かつ、低粘度であるという効果が顕著である。
【発明を実施するための形態】
【００２５】
以下に本発明のいくつかの実施形態について説明する。以下に説明する実施形態は、本発明の一例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００２６】
１．インク組成物
本実施形態に係るインク組成物は、分散染料と、芳香族スルホン酸のホルマリン縮合物と、アルカリ金属化合物と、水と、を含む。
【００２７】
１．１．分散染料
本実施形態のインク組成物は、分散染料を含む。分散染料とは、ポリエステル、ナイロン、アセテート等の疎水性合成繊維の染着に好適に用いられる染料であり、水に不溶または難溶の化合物である。分散染料の分子量は３８０以下が好ましく、より好ましくは３５０以下である。また、分散染料の分子量の下限は、特に限定されないが、その分子量は好ましくは２７０以上である。分散染料の分子量が３８０以下であることにより、分散染料は昇華性に優れるため、得られる記録物の発色性がより優れる傾向にある。
【００２８】
本実施形態のインク組成物に用いられる分散染料としては、特に制限されないが、具体的には以下に例示するものが挙げられる。
【００２９】
イエロー分散染料としては、例えば、Ｃ．Ｉ．ディスパースイエロー３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２等が挙げられる。
【００３０】
オレンジ分散染料としては、例えば、Ｃ．Ｉ．ディスパースオレンジ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、
９６、９７、１１９、１２７、１３０、１３９、１４２等が挙げられる。
【００３１】
レッド分散染料としては、例えば、Ｃ．Ｉ．ディスパースレッド１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８等が挙げられる。
【００３２】
バイオレット分散染料としては、例えば、Ｃ．Ｉ．ディスパースバイオレット１、４、８、２３、２６、２７、２８、３１、３３、３５、３６、３８、４０、４３、４６、４８、５０、５１、５２、５６、５７、５９、６１、６３、６９、７７等が挙げられる。
【００３３】
グリーン分散染料としては、例えば、Ｃ．Ｉ．ディスパースグリーン９等が挙げられる。
【００３４】
ブラウン分散染料としては、例えば、Ｃ．Ｉ．ディスパースブラウン１、２、４、９、１３、１９等が挙げられる。
【００３５】
ブルー分散染料としては、例えば、Ｃ．Ｉ．ディスパースブルー３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、３５９、３６０等が挙げられる。
【００３６】
ブラック分散染料としては、例えば、Ｃ．Ｉ．ディスパースブラック１、３、１０、２４等が挙げられる。
【００３７】
また、分散染料の市販品の例としては、オラセットイエロー８ＧＦ（商品名、チバガイギー社製、Ｃ．Ｉ．ディスパースイエロー８２）、アイゼンゾットイエロー５（商品名、保土谷化学工業株式会社製、Ｃ．Ｉ．ディスパースイエロー３）、スミプラスイエローＨＬＲ（商品名、住友化学工業株式会社製、Ｃ．Ｉ．ディスパースイエロー５４）、カヤセットイエローＡ−Ｇ（商品名、日本化薬株式会社製、Ｃ．Ｉ．ディスパースイエロー５４）、ダイアレジンイエローＨ２Ｇ（商品名、三菱化学株式会社製、Ｃ．Ｉ．ディスパースイエロー１６０）、オイルイエロー５４（商品名、中央合成化学株式会社製、Ｃ．Ｉ．ディスパースイエロー５４）、ダイアレジンレッドＨ（商品名、三菱化学株式会社製、Ｃ．Ｉ．ディスパースレッド５）、スミプラスレッドＢ−２（商品名、住友化学工業株式会社製、Ｃ．Ｉ．ディスパースレッド１９１）、カヤセットレッドＢ（商品名、日本化薬株式会社製、Ｃ．Ｉ．ディスパースレッド６０）、フィレスターバイオレットＢＡ（商品名、チバガイギー社製、Ｃ．Ｉ．ディスパースバイオレット５７）、プラストレッド８３３５
（商品名、有本化学工業株式会社製、Ｃ．Ｉ．ディスパースバイオレット１７）、プラストレッド８３７５（商品名、有本化学工業株式会社製、Ｃ．Ｉ．ディスパースレッド６０）、プラストブルー８５１６（商品名、有本化学工業株式会社製、Ｃ．Ｉ．ディスパースブルー１４）等が挙げられる。
【００３８】
上記例示した分散染料は、いずれも水に不溶または難溶の化合物であるが、後述する芳香族スルホン酸のホルマリン縮合物が分散剤として機能することによって、特定の濃度範囲であれば水に対して良好に分散することができる。また、上記例示した分散染料は、分散性や溶解性において若干の差異がある。すなわち、分散染料の種類によっては、分散剤の好適な濃度範囲が異なるし、分散剤による溶解性も異なる。例えば、上記分散染料のうち、Ｃ．Ｉ．ディスパースレッド６０及びＣ．Ｉ．ディスパースオレンジ２５等は、芳香族スルホン酸のホルマリン縮合物に対して若干の溶解性を示し、この性質によって、針状結晶等の再結晶化物（異物）を生じやすい。
【００３９】
上記分散染料のうち、Ｃ．Ｉ．ディスパースレッド６０及びＣ．Ｉ．ディスパースオレンジ２５の少なくとも一種が、本実施形態のインク組成物に含まれる場合には、より異物が生じ易い分散染料を用いるにもかかわらず異物を生じにくいため、異物の発生を抑制する効果がより顕著に表れていることになる。
【００４０】
分散染料は、昇華性染料であってもよい。ここで「昇華性染料」とは、加熱により昇華する性質を有する染料である。従来、昇華転写を利用した布帛等に対する染色が、広く行われている。このような昇華転写を利用した染色方法としては、例えば、紙等のシート状の中間転写媒体に昇華性染料を含むインク（以下、「昇華転写用インク」ともいう。）を用いてインクジェット方式による印刷を行った後、布帛等の被記録媒体に中間転写媒体を重ねて、加熱により昇華転写する方法や、剥離可能なインク受容層が設けられた被記録媒体（フィルム製品等）のインク受容層に昇華転写用インクを用いてインクジェット方式による印刷を行い、その後、そのまま加熱して下層側の被記録媒体に昇華拡散染色を行い、さらにその後、インク受容層を剥離する方法等がある。
【００４１】
昇華性染料としては、特に限定されないが、例えば、Ｃ．Ｉ．ディスパースイエロー３、７、８、２３、３９、５１、５４、６０、７１、８６；Ｃ．Ｉ．ディスパースオレンジ１、１：１、５、２０、２５、２５：１、３３、５６、７６；Ｃ．Ｉ．ディスパースブラウン２；Ｃ．Ｉ．ディスパースレッド１１、５０、５３、５５、５５：１、５９、６０、６５、７０、７５、９３、１４６、１５８、１９０、１９０：１、２０７、２３９、２４０；Ｃ．Ｉ．バッドレッド４１；Ｃ．Ｉ．ディスパースバイオレット８、１７、２３、２７、２８、２９、３６、５７；Ｃ．Ｉ．ディスパースブルー１４、１９、２６、２６：１、３５、５５、５６、５８、６４、６４：１、７２、７２：１、８１、８１：１、９１、９５、１０８、１３１、１４１、１４５、３５９、３６０；Ｃ．Ｉ．ソルベントブルー３６、６３、１０５、１１１等が挙げられる。
【００４２】
本実施形態のおける好ましい分散染料としては、例えば、Ｃ．Ｉ．ディスパースイエロー１６０、１６３、Ｃ．Ｉ．ディスパースレッド６０、Ｃ．Ｉ．ディスパースオレンジ２５、Ｃ．Ｉ．ソルベントバイオレット１３、Ｃ．Ｉ．ディスパースバイオレット２８、Ｃ．Ｉ．ディスパースブルー１４、３５９、Ｃ．Ｉ．ソルベントブルー１１、３６、５９、６３等が挙げられる。
【００４３】
上記例示した分散染料は、１種単独で用いてもよく、２種以上を併用した混色として用いてもよい。
【００４４】
分散染料の合計の含有量は、インク組成物１００質量％に対して、１０質量％以下、好
ましくは０．１質量％以上１０質量％以下であり、より好ましくは０．２質量％以上９．０質量％以下であり、さらに好ましくは０．３質量％以上８．０質量％以下である。
【００４５】
分散染料の含有量が０．１質量％以上であることにより、得られる記録物の発色性（ＯＤ値）がより優れる傾向にある。また、分散染料の含有量が１０質量％以下であることにより、吐出安定性がより向上する傾向にある。
【００４６】
また、分散染料の含有量を小さくして、本実施形態のインク組成物をいわゆる「淡色インク」としてもよい。インク組成物を淡色インクとする場合の分散染料の合計の含有量は、インク組成物１００質量％に対して、５質量％以下、好ましくは４質量％以下であり、より好ましくは０．１質量％以上４質量％以下であり、さらに好ましくは０．２質量％以上２．０質量％以下である。
【００４７】
１．２．芳香族スルホン酸のホルマリン縮合物
本実施形態のインク組成物は、芳香族スルホン酸のホルマリン縮合物を含む。芳香族スルホン酸のホルマリン縮合物は、分散染料の分散剤として機能し得る。芳香族スルホン酸のホルマリン縮合物を含むことにより、分散染料の分散安定性が向上し、特に気液界面における異物の発生を抑制することができる。また、芳香族スルホン酸のホルマリン縮合物は、異物の発生を抑制できるため、インク組成物の保存安定性、インク組成物の長期にわたる吐出安定性等をより優れたものとする。
【００４８】
芳香族スルホン酸のホルマリン縮合物としては、特に限定されないが、例えば、ナフタレンスルホン酸のホルマリン縮合物、クレオソート油スルホン酸のホルマリン縮合物、クレゾールスルホン酸のホルマリン縮合物、フェノールスルホン酸のホルマリン縮合物、β−ナフトールスルホン酸のホルマリン縮合物、メチルナフタレンスルホン酸のホルマリン縮合物、ブチルナフタレンスルホン酸のホルマリン縮合物等のアルキルナフタレンスルホン酸のホルマリン縮合物；β−ナフタレンスルホン酸のホルマリン縮合物とβ−ナフトールスルホン酸のホルマリン縮合物との混合物、クレゾールスルホン酸のホルマリン縮合物と２−ナフトール−６−スルホン酸のホルマリン縮合物との混合物、リグニンスルホン酸のホルマリン縮合物が挙げられる。上記芳香族スルホン酸のホルマリン縮合物は、ナフタレンスルホン酸のホルマリン縮合物を含むと好ましい。
【００４９】
芳香族スルホン酸のホルマリン縮合物の市販品としては、デモールＮ（花王株式会社製）、デモールＴ４５（花王株式会社製）、デモールＳＮＢ（花王株式会社製）、ラベリンＦＭ４５（第一工業製薬株式会社製）、ラベリンＦＤ４０（第一工業製薬株式会社製）、ラベリンＡＮ４０（第一工業製薬株式会社製）、ラベリンＷ４０（第一工業製薬株式会社製）等が挙げられる。
【００５０】
芳香族スルホン酸のホルマリン縮合物は、１種単独で用いても、２種以上を併用してもよい。
【００５１】
芳香族スルホン酸のホルマリン縮合物の合計の含有量は、インク組成物１００質量％に対して、０．０質量％以上３質量％以下、好ましくは０．２質量％以上２．８質量％以下、より好ましくは０．５質量％以上２．７質量％以下、さらに好ましくは０．７質量％以上２．５質量％以下である。芳香族スルホン酸のホルマリン縮合物の含有量が０．１質量％以上であることにより、分散染料の分散安定性を確保することができる。また、芳香族スルホン酸のホルマリン縮合物の含有量が３質量％以下であれば、分散染料を溶解させすぎることがなく、かつ、粘度を小さく抑えることができる。また、芳香族スルホン酸のホルマリン縮合物の重量平均分子量は２０００〜１２０００の範囲であることが分散染料の分散安定性やインク低粘度化の観点から好ましい。
【００５２】
１．３．アルカリ金属化合物
本実施形態のインク組成物は、アルカリ金属化合物を含む。本実施形態で使用するアルカリ金属化合物の分子量（モル質量）は、４０以上４００である。そのようなアルカリ金属化合物としては、アルカリ金属の有機酸塩、無機酸塩、酸化物、水酸化物、塩化物、水素化物又がアルコラートなどが好ましい。より具体的には、アルカリ金属化合物としては、水酸化ナトリウム（４０）、水酸化カリウム（５６）、水酸化リチウム（２４）、塩化ナトリウム（５８）、塩化カリウム（７６）、塩化リチウム（２４）、炭酸水素ナトリウム（８４）、炭酸水素カリウム（１００）、炭酸ナトリウム（１０６）、炭酸カリウム（１３８）、炭酸リチウム（７４）、酢酸ナトリウム（８２）、酢酸カリウム（９８）、酢酸リチウム（６６）、硫酸ナトリウム（１４２）、硫酸カリウム（１７４）、硫酸リチウム（１１０）、ステアリン酸ナトリウム（３０６）、ステアリン酸カリウム（３２３）、ステアリン酸リチウム（２９０）、安息香酸ナトリウム（１４４）、安息香酸カリウム（１６０）、安息香酸リチウム（１２８）、リン酸水素二ナトリウム（１４２）、リン酸水素二カリウム（１７４）、リン酸水素二リチウム（１０３）、メタンスルホン酸ナトリウム（１１８）、ベンゼンスルホン酸ナトリウム（１８０）、フェノール類のナトリウム塩、カリウム塩、リチウム塩などが挙げられる。なお、上記括弧内は、およその分子量（モル質量）を表す。
【００５３】
本実施形態のインク組成物では、これらのアルカリ金属化合物を２種以上併用することもできる。また、インク組成物のｐＨを低くしすぎない観点からは、アルカリ金属化合物は、アルカリ金属塩が好ましい。より好ましくは、アルカリ金属化合物は、カルボン酸塩又はスルホン酸塩が好ましい。さらに好ましくは、アルカリ金属化合物はナトリウム塩が好ましい。特に好ましくは、アルカリ金属化合物は、メタンスルホン酸ナトリウム、酢酸ナトリウム、硫酸ナトリウム及びベンゼンスルホン酸ナトリウムからなる群より選択されること少なくとも一種とすることが特に好ましい。これらの化合物によりインク組成物の異物が抑制されるメカニズムは、必ずしも定かではないが後述の実施例等により実証される。
【００５４】
アルカリ金属化合物の合計の含有量は、インク組成物１００質量％に対して、０．２質量％以上４質量％以下、好ましくは０．３質量％以上３質量％以下、より好ましくは０．４質量％以上２．５質量％以下、さらに好ましくは０．７質量％以上２質量％以下である。アルカリ金属化合物の含有量が０．２質量％以上であることにより、分散染料の分散安定性を確保することができ、分散染料の凝集や、凝集による物性変化（粘度、粒子径）を抑制できる。
【００５５】
１．４．アルカリ金属イオン
本実施形態のインク組成物は、少なくとも上述の芳香族スルホン酸のホルマリン縮合物とアルカリ金属化合物とを含む。アルカリ金属化合物は、インク組成物中で電離して、アルカリ金属イオンを生成する。また芳香族スルホン酸のホルマリン縮合物についても、アルカリ金属塩を使用する場合には、アルカリ金属イオンを生成する。また、その他の成分（後述）の選択によっては、その成分からアルカリ金属イオンが生じることもある。しかし、本実施形態のインク組成物におけるアルカリ金属イオンは、主に芳香族スルホン酸のホルマリン縮合物及び／又はアルカリ金属化合物によってもたらされる。また、アルカリ金属イオンは、ナトリウムイオンであることが、針状異物発生の抑制効果や分散染料の分散安定性（凝集抑制）に優れる点でより好ましい。アルカリ金属イオンの濃度は、アルカリ金属化合物の配合量で調整することが、インク組成物の粘度増加を抑制できる点でより好ましい。
【００５６】
本実施形態のインク組成物におけるアルカリ金属イオンの濃度は、主に芳香族スルホン
酸のホルマリン縮合物及び／又はアルカリ金属化合物の配合量を調節することによって変化させることができる。インク組成物１００ｇ中におけるアルカリ金属イオンの濃度は、０．００１ｍｏｌ以上０．１ｍｏｌ以下、好ましくは０．００２ｍｏｌ以上０．０８ｍｏｌ以下、より好ましくは０．００５ｍｏｌ以上０．０５ｍｏｌ以下、さらに好ましくは０．００７ｍｏｌ以上０．０４ｍｏｌ以下である。インク組成物中のアルカリ金属イオンの濃度は、例えば、イオンクロマトグラフィーによる分析や導電率計により求めることができる。
【００５７】
１．５．その他の成分
１．５．１．色材
本実施形態に係るインク組成物は、上述の分散染料以外の色材を含んでもよい。そのような色材としては、水系溶媒に不溶あるいは難溶の色材として有機顔料、カーボンブラック、油溶染料等を挙げることができる。発色が良好であること、比重が小さいために沈降しにくいことから、カーボンブラック、有機顔料、油溶染料がより好ましい。本実施形態のインク組成物では、色材が分散樹脂により分散されていてもよい。また、色材としては、水溶解系の酸性染料、直接染料、反応性染料及び塩基性染料等を用いてもよい。
【００５８】
本実施形態のインク組成物において、色材を分散樹脂により分散させる場合には、色材と分散樹脂との比率は１０：１〜１：１０が好ましく、４：１〜１：３がより好ましい。また、分散時の色材の体積平均粒子径は、動的光散乱法で計測した場合の最大粒径が５００ｎｍ未満で平均粒径が３００ｎｍ以下であり、より好ましくは平均粒径が２００ｎｍ以下である。
【００５９】
１．５．２．水
本実施形態に係るインク組成物は、水を含んでいる。水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、インク組成物を長期保存する場合に細菌類や真菌類の発生を防止することができる。
【００６０】
水の含有量は、インク組成物の総量に対して、３０質量％以上、好ましくは４０質量％以上であり、より好ましくは４５質量％以上であり、さらに好ましくは５０質量％以上である。なおインク組成物中の水というときには、例えば、原料として用いる顔料分散液、樹脂粒子分散液、添加する水を含むものとする。水の含有量が３０質量％以上であることにより、インク組成物を比較的低粘度とすることができる。また、水の含有量の上限は、インク組成物の総量に対して、好ましくは９０質量％以下であり、より好ましくは８５質量％以下であり、さらに好ましくは８０質量％以下である。なお、本明細書において「水系インク」という場合には、インクの全質量（１００質量％）に対して、水を３０質量％以上含有するインクのことを指す。
【００６１】
１．５．３．有機溶剤
本実施形態のインク組成物は、有機溶媒を含んでもよい。有機溶媒としては、水溶性有機溶媒が挙げられ、例えば、グリコール系やグリコールエーテル系の化合物である。
【００６２】
水溶性有機溶剤の例としては、１，２−ペンタンジオール、メチルトリグリコール（トリエチレングリコールモノメチルエーテル）、ブチルトリグリコール（トリエチレングリコールモノブチルエーテル）、ブチルジグリコール（ジエチレングリコールモノブチルエーテル）、ジプロピレングリコ−ルモノプロピルエーテル、１，２−ヘキサンジオール、１，２−ヘプタンジオール、２−メチル−３−フェノキシ−１，２−プロパンジオール、３−（３−メチルフェノキシ）−１，２−プロパンジオール、３−ヘキシルオキシ−１，
２−プロパンジオール、及び、２−ヒドロキシメチル−２−フェノキシメチル−１，３−プロパンジオール、エチレングリコール、ジエチレングリコール、トリエチレングリコール、ポリエチレングリコール、プロピレングリコール、ジプロピレングリコール、ポリプロピレングリコール、ポリオキシエチレンポリオキシプロピレングリコール、１，３−プロパンジオール、１，２−ブタンジオール、１，２−ペンタンジオール、１，４−ブタンジオール、１，５−ペンタンジオール、１，６−ヘキサンジオール等のグリコール類が挙げられる。また、水溶性有機溶剤は、複数種を混合して用いてもよい。
【００６３】
水溶性有機溶剤の配合量は、インク組成物の全量に対して、０．２質量％以上３０質量％以下、好ましくは０．４質量％以上２０質量％以下、より好ましくは０．５質量％以上１５質量％以下、さらに好ましくは０．７質量％以上１０質量％以下である。
【００６４】
１．５．４．表面張力調整剤
本実施形態のインク組成物は、表面張力調整剤を含有してもよい。表面張力調整剤としては、水溶解時に表面張力を低下させインクの印刷用基材や吐出流路に対する濡れ性を調整するために用いられ、低表面張力性の水溶性溶剤系及び界面活性剤系から選ばれる。水溶性溶剤系としては、例えば、エタノール、プロパノール、ブタノールなどの低級アルコール類、ブチレングリコール、１，３−ペンタンジオール、２−エチル−１，３−プロパンジオール、１，６−ヘキサンジオールなどのジオール類、エチレングリコールモノメチルエーテル、エチレングリコールモノエチルエーテル、ジエチレングリコールモノメチルエーテル、ジエチレングリコールモノエチルエーテル、プロピレングリコールモノメチルエーテルなどのグリコールモノエーテル類が挙げられる。
【００６５】
界面活性剤系としては、例えばノニオン系界面活性剤、アニオン系界面活性剤、カチオン系界面活性剤、両性界面活性剤から適宜選択できる。またこれらのうち界面活性が高く気泡性の少ないアセチレングリコール系界面活性剤、シリコーン系界面活性剤がより好ましい。
【００６６】
アセチレングリコール系界面活性剤としては、特に限定されないが、例えば、オルフィンＥ１００４、Ｅ１０１０、Ｅ１０２０、ＰＤ−００１、ＰＤ−００２Ｗ、ＰＤ−００４、ＰＤ−００５、ＥＸＰ．４２００、ＥＸＰ．４１２３、ＥＸＰ．４３００（以上商品名：日信化学工業株式会社製）、サーフィノール４４０、４６５、４８５、ＣＴ１１１、ＣＴ１２１、ＴＧ、ＧＡ、ダイノール６０４、６０７（以上商品名：エアプロダクツ社（Ａｉｒ  Ｐｒｏｄｕｃｔｓ  Ｊａｐａｎ，  Ｉｎｃ．）製）、アセチレノールＥ４０、Ｅ６０、Ｅ１００（以上商品名：川研ファインケミカル株式会社製）、オルフィン１０４シリーズやオルフィンＥ１０１０等のＥシリーズ（商品名：エアプロダクツ社（Ａｉｒ  Ｐｒｏｄｕｃｔｓ  Ｊａｐａｎ，  Ｉｎｃ．）製）、サーフィノール４６５（商品名：日信化学工業社（Ｎｉｓｓｉｎ  Ｃｈｅｍｉｃａｌ  Ｉｎｄｕｓｔｒｙ  ＣＯ．，Ｌｔｄ．）製）などが挙げられる。
【００６７】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名：ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、（以上商品名：信越化学株式会社製）、シルフェイスＳＡＧ００２、００５、５０３Ａ、００８（以上商品名：日信化学工業株式会社製）等が挙げられる。
【００６８】
表面張力調整剤の配合量は、インク組成物の全量に対して、０．０１質量％以上２質量％以下、好ましくは０．０３質量％以上２．５質量％以下、より好ましくは０．０５質量％以上２質量％以下である。
【００６９】
１．５．５．保湿剤
本実施形態のインク組成物は、保湿剤を含有してもよい。保湿剤としては、一般にインクジェットインク組成物に用いられるものであれば特に限定されず使用可能である。保湿剤の沸点は、好ましくは１８０℃以上であり、２００℃以上がより好ましい。沸点が上記範囲内であることにより、インク組成物に良好な保水性及び湿潤性を付与することができる。
【００７０】
保湿剤の具体例としては、ジエチレングリコール、トリエチレングリコール、テトラエチレングリコール、ペンタメチレングリコール、トリメチレングリコール、２−ブテン−１，４−ジオール、２−エチル−１，３−ヘキサンジオール、２−メチル−２，４−ペンタンジオール、プロピレングリコール、ジプロピレングリコール、トリプロピレングリコール、イソブチレングリコール、グリセリン、ジグリセリン、メソエリスリトール、トリメチロールプロパン、ペンタエリスリトール、ジペンタエリスリトールなどのポリオール類、２−ピロリドン、Ｎ−メチル−２−ピロリドン、ε−カプロラクタム、ヒドロキシエチルピロリドン等のラクタム類、尿素、チオ尿素、エチレン尿素、１，３−ジメチルイミダゾリジノン類等の尿素誘導体、グルコース、マンノース、フルクトース、リボース、キシロース、アラビノース、ガラクトース、アルドン酸、グルシトール（ソルビット）、マルトース、セロビオース、ラクトース、スクロース、トレハロース、マルトトリオース等の単糖類、二糖類、オリゴ糖類及び多糖類及びこれらの糖類の誘導体、グリシン、トリメチルグリシンのベタイン類などが挙げられる。
【００７１】
本実施形態のインク組成物に保湿剤を配合する場合の配合量としては、インク組成物の全量に対して、０．２質量％以上３０質量％以下、好ましくは０．４質量％以上２０質量％以下、より好ましくは０．５質量％以上１５質量％以下、さらに好ましくは０．７質量％以上１０質量％以下である。
【００７２】
１．５．６．ｐＨ調整剤
本実施形態のインク組成物は、ｐＨを調整する目的で、ｐＨ調整剤を添加することができる。ｐＨ調整剤としては、特に限定されないが、例えば、無機酸として、硫酸、塩酸、硝酸等、無機塩基として水酸化リチウム、水酸化ナトリウム、水酸化カリウム、アンモニア等、有機塩基としてトリエタノールアミン、ジエタノールアミン、モノエタノールアミン、トリイソプロパノールアミン、ジイソプロパノールアミン、トリスヒドロキシメチルアミノメタン、有機酸としてアジピン酸、クエン酸、コハク酸、乳酸等、ｐＨ緩衝液として、リン酸緩衝液、クエン酸緩衝液、トリス緩衝液等が挙げられる。
【００７３】
１．５．７．その他の成分
本実施形態に係るインク組成物は、防腐剤、溶解助剤、粘度調整剤、酸化防止剤、防黴剤、キレート化剤及び樹脂粒子などの種々の添加剤を適宜添加することができる。
【００７４】
１．６．インク組成物の物性
本実施形態に係るインク組成物は、記録品質とインクジェット記録用のインクとしての信頼性とのバランスの観点から、２５℃における表面張力が１０ｍＮ／ｍ以上４０ｍＮ／ｍであることが好ましく、２２ｍＮ／ｍ以上３０ｍＮ／ｍ以下であることがより好ましい。なお、表面張力の測定は、自動表面張力計ＣＢＶＰ−Ｚ（協和界面科学社製）を用いて、２５℃の環境下で白金プレートをインクで濡らしたときの表面張力を確認することによ
り測定することができる。
【００７５】
また、同様の観点から、インク組成物の２０℃における粘度は、２ｍＰａ・ｓ以上１５ｍＰａ・ｓ以下であることが好ましく、２ｍＰａ・ｓ以上５ｍＰａ・ｓ以下であることがより好ましく、２ｍＰａ・ｓ以上３．８ｍＰａ・ｓ以下であることがより好ましい。なお、粘度の測定は、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。
【００７６】
１．６．作用効果
本実施形態に係るインク組成物は、分散染料を含有するにもかかわらず、異物の発生が抑制され、保存安定性及び吐出安定性が良好で、かつ、低粘度である。すなわち芳香族スルホン酸のホルマリン縮合物により、分散染料の分散性を確保するとともに分散染料の溶解を高めすぎないことで異物の発生を抑えることができる。また、アルカリ金属化合物によってアルカリ金属イオンの濃度を高めることで、分散染料の粒子の凝集を十分に低減することができる。さらに、アルカリ金属化合物の分子量が、４０以上４００以下であるため、インク組成物の粘度を上昇させすぎることがなく、例えば、インクジェット記録に好適に用いることができる。
【００７７】
また、インク組成物を淡色インクとする場合、分散剤（芳香族スルホン酸のホルマリン縮合物）の濃度が高いと、分散染料に対する分散剤の割合が高まり、分散染料を溶解させやすくなるので、分散剤の濃度も低下させるほうがより好ましい。その場合、インク組成物中における分散染料の存在個数や分散剤分子の個数が、他の成分に対して相対的に減少する。そうすると、インク組成物内で、分散染料と分散剤との出会いの頻度が小さくなり、その結果、分散染料全体における分散剤が吸着していない分散染料の割合が高まり、分散染料の分散性が悪くなる傾向がある。これに対して、本実施形態のインク組成物では、このような場合に、分散剤の濃度を高めることなく、分散染料の分散性を高く維持することができる。
【００７８】
２．インクジェット記録装置
上記本実施形態のインク組成物は、インクジェット記録装置に好適に用いることができる。インクジェット記録装置は、上述のインク組成物を収容するインク収容容器（カートリッジ、タンク等）及びこれに接続される記録ヘッドを少なくとも有し、上述のインク組成物を記録ヘッドから吐出して記録媒体に画像を形成することができれば、特に限定されない。
【００７９】
本実施形態のインクジェット記録装置としては、シリアル型およびライン型のいずれでも使用することができる。これらの型のインクジェット記録装置には、記録ヘッドが搭載されており、記録媒体と記録ヘッドとの相対的な位置関係を変化させながら、記録ヘッドのノズル孔からインク組成物の液滴を所定のタイミングで（間欠的に）かつ所定の体積（質量）で吐出させ、記録媒体にインク組成物を付着させて所定の画像を形成することができる。
【００８０】
ここで一般に、シリアル型のインクジェット記録装置では、記録媒体の搬送方向と、記録ヘッドの往復動作の方向が交差しており、記録ヘッドの往復動作と記録媒体の搬送動作（往復動作も含む）との組み合わせによって、記録媒体と記録ヘッドとの相対的な位置関係を変化させる。またこの場合、一般的には、記録ヘッドには複数のノズル孔（インク組成物を吐出する孔）が配置され、記録媒体の搬送方向に沿ってノズル孔の列（ノズル列）が形成されている。また、記録ヘッドには、インク組成物の種類や数に応じて、複数のノズル列が形成される場合もある。
【００８１】
また、一般に、ライン型のインクジェット記録装置では、記録ヘッドは往復動作を行わず、記録媒体の搬送によって記録媒体と記録ヘッドとの相対的な位置関係を変化させて、記録媒体と記録ヘッドとの相対的な位置関係を変化させる。この場合においても、一般的には、記録ヘッドには、ノズル孔が複数配置され、記録媒体の搬送方向に交差する方向に沿って該ノズル孔の列（ノズル列）が形成されている。
【００８２】
インクジェット記録方式は、上述したようなシリアル型またはライン型のインクジェット記録装置を用いるものであるが、方式としては、インク組成物を微細なノズル孔より液滴として吐出して該液滴を記録媒体に付着させることができれば、特に制限されない。例えば、インクジェット記録方式としては、静電吸引方式、ポンプ圧力によりインク滴を噴射させる方式、圧電素子を用いる方式、インク液を微小電極で加熱発泡させインク滴を噴射させる方式、などを挙げることができる。
【００８３】
本実施形態で用いられるインクジェット記録装置には、例えば、加熱ユニット、乾燥ユニット、ロールユニット、巻き取り装置などの公知の構成を制限無く採用することができる。
【００８４】
３．実施例及び比較例
以下、本発明を実施例によってさらに具体的に説明するが、本発明はこれらの実施例に限定されるものではない。
【００８５】
３．１．インク組成物の調製
容器に、表１の組成になるように各成分を容器に入れて、マグネチックスターラーで２時間混合および攪拌した後、さらに、直径０．３ｍｍのジルコニアビーズを充填したビーズミルにて分散処理を行うことにより十分に混合した。１時間攪拌してから、５μｍのＰＴＦＥ製メンブランフィルターを用いて濾過することで、実施例および比較例に係るインク組成物を得た。表１中の数値は、質量％を示し、純水（イオン交換水）は各インク組成物の質量がそれぞれ１００質量％となるように添加した。
【００８６】
なお、表中、分散染料以外の成分は、いずれも試薬として購入したものを用いた。また、商品名：ＢＹＫ−３４８は、ビックケミー・ジャパン社製のシロキサン系界面活性剤であり、ナフタレンスルホン酸ナトリウムのホルマリン縮合物（分散剤）は、第一工業製薬株式会社製、製品名：ラベリンＡＮ−４０である。さらに、分子量４００を越えるアルカリ金属化合物として、アルキルスルホコハク酸ナトリウム、日本乳化剤株式会社製：商品名ニューコール２９３（分子量４４５）を用いた。
【００８７】
また、各インク組成物の原料のうち、アルカリ金属イオンの生成種は、ナフタレンスルホン酸ナトリウムのホルマリン縮合物（分散剤）、又は、アルカリ金属（ナトリウム、カリウム又はリチウム）化合物のみであるため、表１には、分散剤由来のアルカリ金属イオン量（ナトリウムイオン量）、アルカリ金属化合物由来のアルカリ金属イオン量、インク組成物全体におけるアルカリ金属イオン量、及び、インク組成物全体におけるナトリウムイオン量をそれぞれ測定して求めて併記した。
【００８８】
【表１】
2017186429.tif 000002
【００８９】
３．２．評価試験
３．２．１．インク組成物の粘度
上記のようにして得られた各インク組成物の２５℃における粘度を測定した。具体的には、インク組成物の２０℃における粘度を、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。自動表面張力計ＣＢＶＰ−Ｚ（協和界面科学社製）を用いて、ウィルヘミー（Ｗｉｌｈｅｌｍｙ）法に従って、２５℃の環境下で白金プレートをインクで濡らしたときの表面張力を測定した。そして、下記評価基準により評価し、表１に記載した。
Ａ：３．８ｍＰａ・s以下
Ｂ：３．８ｍＰａ・s超５．０ｍＰａ・s以下
Ｃ：５．０ｍＰａ・s超
【００９０】
３．２．２．異物の評価
各例のインク組成物１０ｇを気液界面が存在する状態でアルミパックに収容して密栓し、６０℃で５日間放置した。放置後のインク組成物に針状結晶状の異物が発生しているか否かを目視により確認し、確認結果に基づいて、下記評価基準により評価した。
Ａ：針状の異物個数は０個であった
Ｂ：針状の異物は０個であったが、分散染料の凝集物がわずかに観察された（許容できるレベル）
Ｃ：針状の異物個数は１０個以上であった。（許容できないレベル）
【００９１】
３．２．３．金属部材の接液評価
各例のインク組成物の腐食性を評価した。対象の金属としては、ステンレスを用いた。具体的には、ステンレス板を準備しその半分を各インク組成物に浸漬した。６０℃で７日間放置したあと、ステンレス板を蒸留水で洗浄した。洗浄後、目視により、浸漬された部分と浸漬していない部分との外観が同じであるものを「Ａ」、光沢や色がわずかでも異なるものは「Ｂ」として、表１に記載した。
【００９２】
３．３．評価結果
以上の評価結果を表１に示した。実施例１〜１３及び参考例１をみると、インク組成物１００ｇ中のアルカリ金属イオンの濃度が、０．００５（ｍｏｌ）以上０．０５（ｍｏｌ）以下であれば異物の発生が十分に抑制されることが判明した。また、実施例１〜６及び参考例１をみると、インク組成物１００ｇ中のナトリウムイオンの濃度が０．００５（ｍｏｌ）以上０．０５（ｍｏｌ）以下であれば異物の発生が十分に抑制されることが判明した。
【００９３】
また、参考例１のような濃色インク組成物（分散染料の濃度が４質量％超）の場合は、分散剤に由来するナトリウムイオンの濃度が十分となっていると考えられ、異物の発生がなかったものと推測される。また、分散染料に対する分散剤量が１／３以下であることから、分散剤による分散染料の溶解を抑えられ、異物の発生は見られなかった。
【００９４】
比較例１〜３をみると、淡色インク組成物の場合には、分散剤（高分子）由来のナトリウムイオンを増加させたとしても異物の発生を抑制することができず、その上、粘度が上昇してインクジェット方式に不向きとなることが判明した。換言すると、比較例１、２からは、インクジェット法に適した粘度を確保できる程度の分散剤の添加量では、異物の発生を抑制できないことが示唆された。また、比較例３をみると、異物をなくそうとして分散剤を過剰に入れると、分散剤が染料を溶解してしまい異物が発生し、さらに、粘度も増加することが示唆された。
また、比較例４をみると、アルカリ金属イオンの供給源として、分子量４００を越える
アルカリ金属化合物を用いると、異物は抑えられるものの、粘度が上昇して好ましくなかった。
【００９５】
アルカリ金属化合物として、塩化カリウム、塩化リチウムを用いた実施例７及び実施例８のインク組成物は、針状の異物の発生は認められなかったが、目視評価において分散染料の若干の凝集が見られた。このことから、アルカリ金属化合物によってもたらされるアルカリ金属イオンは、ナトリウムイオンであるほうがより好ましいことが分かった。
【００９６】
金属部材接液評価の結果から、アルカリ金属化合物が、塩素を含む無機塩であると、金属に対して何らかの腐食作用（錆等）を生じやすいことが判明した。
【００９７】
本発明は、上述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。